(57)【要約】eNB（100A）は、コアネットワークからSCGを経由するとともにSCGからMCGに含まれるeNB（100A）に分岐するスプリットベアラを設定するRRCメッセージをUE（200）に送信する。RRCメッセージは、所定条件においてSCGを不活性化することを許容する情報要素を含む。UE（200）は、受信したRRCメッセージに当該情報要素が含まれており、SCGにおける無線リンク障害を検出した場合、SCGに含まれるセルの設定を不活性化する。
2018174038.tif 000002
【特許請求の範囲】
【請求項１】
コアネットワークからセカンダリセルグループを経由するとともに前記セカンダリセルグループからマスタセルグループに含まれる無線基地局に分岐するスプリットベアラが設定され、前記スプリットベアラを経由してユーザ装置にデータが送信される無線通信システムであって、
前記無線基地局は、前記スプリットベアラを設定する接続メッセージを前記ユーザ装置に送信する接続制御部を備え、
前記接続メッセージは、所定条件において前記セカンダリセルグループを不活性化することを許容する情報要素を含み、
前記ユーザ装置は、受信した前記接続メッセージに前記情報要素が含まれており、前記セカンダリセルグループにおける無線リンク障害を検出した場合、前記セカンダリセルグループに含まれるセルの設定を不活性化するセル設定部を備える無線通信システム。
【請求項２】
前記セル設定部は、前記ユーザ装置が自律的に前記セカンダリセルグループに含まれるセルの設定を不活性化することが許容されていない場合でも、受信した前記接続メッセージに前記情報要素が含まれており、前記セカンダリセルグループにおける無線リンク障害を検出した場合には、前記セカンダリセルグループに含まれるセルの設定を不活性化する請求項１に記載の無線通信システム。
【請求項３】
コアネットワークからセカンダリセルグループを経由するとともに前記セカンダリセルグループからマスタセルグループに含まれる無線基地局に分岐するスプリットベアラが設定され、前記スプリットベアラを経由してユーザ装置にデータが送信される無線通信システムに含まれる前記無線基地局であって、
前記スプリットベアラを設定する接続メッセージを前記ユーザ装置に送信する接続制御部を備え、
前記接続メッセージは、所定条件において前記セカンダリセルグループを不活性化することを許容する情報要素を含む無線基地局。
【請求項４】
コアネットワークからセカンダリセルグループを経由するとともに前記セカンダリセルグループに含まれる他の無線基地局からマスタセルグループに含まれる無線基地局に分岐するスプリットベアラが設定され、前記スプリットベアラを経由してユーザ装置にデータが送信される無線通信システムであって、
前記無線基地局は、
前記セカンダリセルグループにおける無線リンク障害が発生したことを示す障害通知を前記ユーザ装置から受信する障害通知受信部と、
前記障害通知受信部が前記障害通知を受信した場合、前記スプリットベアラの前記セカンダリセルグループにおける所定レイヤ以下のリソースのみを解放することを指示するリソース変更要求を前記他の無線基地局に送信する接続制御部と
を備え、
前記他の無線基地局は、受信した前記リソース変更要求に基づいて、前記スプリットベアラの前記セカンダリセルグループにおける前記所定レイヤ以下のリソースを解放するリソース制御部を備える無線通信システム。
【請求項５】
前記リソース制御部は、前記ユーザ装置が前記リソースの解放前と同一のセカンダリセルグループに再接続する場合、解放した前記リソースを再利用した前記スプリットベアラを設定する請求項４に記載の無線通信システム。
【請求項６】
前記リソース制御部は、前記ユーザ装置が前記リソースの解放前と異なるセカンダリセルグループに接続する場合、新規なスプリットベアラの設定する請求項４に記載の無線通信システム。
【請求項７】
コアネットワークからセカンダリセルグループを経由するとともに前記セカンダリセルグループに含まれる無線基地局からマスタセルグループに分岐するスプリットベアラが設定され、前記スプリットベアラを経由してユーザ装置にデータが送信される無線通信システムに含まれる前記無線基地局であって、
前記セカンダリセルグループにおける無線リンク障害が発生したことを示す障害通知を前記ユーザ装置から受信する障害通知受信部と、
前記障害通知受信部が前記障害通知を受信した場合、前記スプリットベアラの前記セカンダリセルグループにおける所定レイヤ以下のリソースのみを解放するリソース制御部とを備える無線基地局。
【請求項８】
前記リソース制御部は、前記ユーザ装置が前記リソースの解放前と同一のセカンダリセルグループに再接続する場合、解放した前記リソースを再利用した前記スプリットベアラを設定する請求項７に記載の無線基地局。
【請求項９】
前記リソース制御部は、前記ユーザ装置が前記リソースの解放前と異なるセカンダリセルグループに接続する場合、新規なスプリットベアラを設定する請求項７に記載の無線基地局。
【請求項１０】
コアネットワークからセカンダリセルグループを経由するとともに前記セカンダリセルグループからマスタセルグループに含まれる無線基地局に分岐するスプリットベアラが設定され、前記スプリットベアラを経由してユーザ装置にデータが送信される無線通信システムであって、
前記無線基地局は、前記スプリットベアラを設定する接続メッセージを前記ユーザ装置に送信する接続制御部を備え、
前記接続メッセージは、前記セカンダリセルグループにおけるセル品質測定の識別子を削除することを許容する情報要素を含み、
前記ユーザ装置は、受信した前記接続メッセージに前記情報要素が含まれており、前記セカンダリセルグループにおける無線リンク障害を検出した場合、前記セカンダリセルグループに含まれるセルの品質測定を中止するセル設定部を備える無線通信システム。
【発明の詳細な説明】
【技術分野】
【０００１】
本発明は、スプリットベアラを設定する無線通信システム及び無線基地局に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）などと呼ばれるLTEの後継システムの仕様が検討されている。【０００３】
具体的には、非特許文献１では、LTE方式の無線基地局と、NR方式の無線基地局とを用いたデュアルコネクティビティ（DC）におけるベアラの種類として、セカンダリセルグループ（SCG）を経由したスプリットベアラ（Split bearer via SCG）が規定されている。【０００４】
Split bearer via SCGでは、マスタ基地局がLTE方式の無線基地局（以下、LTE MeNB）であって、セカンダリ基地局がNR方式の無線基地局（以下、NR SgNBまたは単にSgNB）である場合、コアネットワークと無線基地局との間のユーザプレーン（S1-U）用のベアラは、コアネットワーク（EPC(Evolved Packet Core)）と、NR SgNBとの間にのみ設定される。当該ベアラは、NR SgNBのPDCPレイヤにおいてLTE MeNBに分岐され、スプリットベアラを構成する。【０００５】
ユーザデータ（例えば、下りデータ）は、当該スプリットベアラを経由して、LTE MeNB及びNR SgNBからユーザ装置（UE）に送信される。これにより、LTE MeNBとNR SgNBとを用いたデュアルコネクティビティが実現される。
【先行技術文献】
【非特許文献】
【０００６】
【非特許文献１】3GPP TR 38.804 V14.0.0 Section 5.2.1.2 Bearer types for DualConnectivity between LTE and NR, 3rd Generation Partnership Project; Technical Specification Group Radio Access Network; Study on New Radio Access Technology; Radio Interface Protocol Aspects (Release 14)、3GPP、2017年3月
【発明の概要】
【０００７】
上述したように、セカンダリ基地局がNR方式の無線基地局（NR SgNB）である場合、非特許文献１では、LTE MeNBがマクロセルを形成し、NR SgNBがスモールセルを形成するケースが規定されている。
【０００８】
このような場合、UEが移動すると、頻繁に当該スモールセルの圏外となることが想定される。このため、SCGを経由したスプリットベアラが設定されていると、当該スプリットベアラを解放し、マスタセルグループ（MCG）のみを経由するベアラを新たに設定し直す必要がある。
【０００９】
さらに、当該スプリットベアラを解放した後、UEがスモールセル圏内に移動した場合、新たにスプリットベアラが設定され、デュアルコネクティビティが再開されることが想定される。つまり、このようなスプリットベアラ解放と設定に伴うシグナリング量が増加することが懸念される。
【００１０】
このような問題の解決策としては、LTEのRelease-12において規定されている仕組みを流用することが考えられる。具体的には、LTEのRelease-12では、Primary SCell（PSCell）を形成する無線基地局（SeNB）が、無線リンク障害（RLF）を検出した場合、マスタ基地局（MeNB）に対して当該RLFを報告すること、及び当該報告を受けたMeNBが、SCGを削除する動作を実行することが規定されている。そこで、上述したようなスプリットベアラの解放及び設定に伴うシグナリング量の増加を抑制するため、当該報告を受けたMeNBが、SCGを削除せずに保持しておくことが考えられる。
【００１１】
しかしながら、RLFが発生しているにも関わらずSCGを保持すると、PSCell及びSCellがアクティブな状態、つまり、無線リソース制御レイヤ（RRCレイヤ）における接続状態（RRC Connected状態）が維持される。このため、UEは、定期的にセルの品質測定及び報告（measurement report）を繰り返すことになり、消費電力の点で課題がある。
【００１２】
そこで、本発明は、このような状況に鑑みてなされたものであり、セカンダリセルグループ（SCG）を経由したスプリットベアラが設定される場合でも、ユーザ装置の消費電力の削減と、スプリットベアラの解放及び設定が繰り返されることによるシグナリング量の増加の抑制とを両立し得る無線通信システム及び無線基地局の提供を目的とする。
【００１３】
本発明の一態様は、コアネットワークからセカンダリセルグループを経由するとともに前記セカンダリセルグループからマスタセルグループに含まれる無線基地局に分岐するスプリットベアラが設定され、前記スプリットベアラを経由してユーザ装置にデータが送信される無線通信システムであって、前記無線基地局は、前記スプリットベアラを設定する接続メッセージを前記ユーザ装置に送信する接続制御部を備え、前記接続メッセージは、所定条件において前記セカンダリセルグループを不活性化することを許容する情報要素を含み、前記ユーザ装置は、受信した前記接続メッセージに前記情報要素が含まれており、前記セカンダリセルグループにおける無線リンク障害を検出した場合、前記セカンダリセルグループに含まれるセルの設定を不活性化するセル設定部を備える。
【００１４】
本発明の一態様は、コアネットワークからセカンダリセルグループを経由するとともに前記セカンダリセルグループからマスタセルグループに含まれる無線基地局に分岐するスプリットベアラが設定され、前記スプリットベアラを経由してユーザ装置にデータが送信される無線通信システムに含まれる前記無線基地局であって、前記スプリットベアラを設定する接続メッセージを前記ユーザ装置に送信する接続制御部を備え、
前記接続メッセージは、所定条件において前記セカンダリセルグループを不活性化することを許容する情報要素を含む。
【００１５】
本発明の一態様は、コアネットワークからセカンダリセルグループを経由するとともに前記セカンダリセルグループに含まれる他の無線基地局からマスタセルグループに含まれる無線基地局に分岐するスプリットベアラが設定され、前記スプリットベアラを経由してユーザ装置にデータが送信される無線通信システムであって、前記無線基地局は、前記セカンダリセルグループにおける無線リンク障害が発生したことを示す障害通知を前記ユーザ装置から受信する障害通知受信部と、前記障害通知受信部が前記障害通知を受信した場合、前記スプリットベアラの前記セカンダリセルグループにおける所定レイヤ以下のリソースのみを解放することを指示するリソース変更要求を前記他の無線基地局に送信する接続制御部とを備え、前記他の無線基地局は、受信した前記リソース変更要求に基づいて、前記スプリットベアラの前記セカンダリセルグループにおける前記所定レイヤ以下のリソースを解放するリソース制御部を備える。
【００１６】
本発明の一態様は、コアネットワークからセカンダリセルグループを経由するとともに前記セカンダリセルグループに含まれる無線基地局からマスタセルグループに分岐するスプリットベアラが設定され、前記スプリットベアラを経由してユーザ装置にデータが送信される無線通信システムに含まれる前記無線基地局であって、前記セカンダリセルグループにおける無線リンク障害が発生したことを示す障害通知を前記ユーザ装置から受信する障害通知受信部と、前記障害通知受信部が前記障害通知を受信した場合、前記スプリットベアラの前記セカンダリセルグループにおける所定レイヤ以下のリソースのみを解放するリソース制御部とを備える。
【００１７】
本発明の一態様は、コアネットワークからセカンダリセルグループを経由するとともに前記セカンダリセルグループからマスタセルグループに含まれる無線基地局に分岐するスプリットベアラが設定され、前記スプリットベアラを経由してユーザ装置にデータが送信される無線通信システムであって、前記無線基地局は、前記スプリットベアラを設定する接続メッセージを前記ユーザ装置に送信する接続制御部を備え、前記接続メッセージは、前記セカンダリセルグループにおけるセル品質測定の識別子を削除することを許容する情報要素を含み、前記ユーザ装置は、受信した前記接続メッセージに前記情報要素が含まれており、前記セカンダリセルグループにおける無線リンク障害を検出した場合、前記セカンダリセルグループに含まれるセルの品質測定を中止するセル設定部を備える。
【図面の簡単な説明】
【００１８】
【図１】図１は、無線通信システム10の全体概略構成図である。
【図２】図２は、eNB100A（LTE MeNB）及びgNB100B（NR SgNB）のプロトコルスタックを示す図である。
【図３】図３は、eNB100A及びgNB100Bの機能ブロック構成図である。
【図４】図４は、UE200の機能ブロック構成図である。
【図５】図５は、セカンダリセルグループにおける無線リンク障害時を含むスプリットベアラの制御シーケンス（動作例１）を示す図である。
【図６】図６は、スプリットベアラBSP（Split bearer via SCG）の構成例（動作例１）を示す図である。
【図７】図７は、セカンダリセルグループにおける無線リンク障害時を含むスプリットベアラの制御シーケンス（動作例１ａ）を示す図である。
【図８】図８は、セカンダリセルグループにおける無線リンク障害時を含むスプリットベアラの制御シーケンス（動作例２）を示す図である。
【図９】図９は、スプリットベアラBSP（Split bearer via SCG）の構成例（動作例２）を示す図である。
【図１０】図１０は、セカンダリセルグループにおける無線リンク障害時を含むスプリットベアラの制御シーケンス（動作例３）を示す図である。
【図１１】図１１は、セカンダリセルグループにおける無線リンク障害時を含むスプリットベアラの制御シーケンス（動作例４）を示す図である。
【図１２】図１２は、セカンダリセルグループにおける無線リンク障害時を含むスプリットベアラの制御シーケンス（動作例５）を示す図である。
【図１３】図１３は、SCG側（スプリットベアラBSP）リソースの一部解放後におけるスプリットベアラBSPの設定シーケンス（動作例６）を示す図である。
【図１４】図１４は、SCG側（スプリットベアラBSP）リソースの一部解放後におけるスプリットベアラBSPの設定シーケンス（動作例７）を示す図である。
【図１５】図１５は、eNB100A, gNB100B、及びUE200のハードウェア構成の一例を示す図である。
【発明を実施するための形態】
【００１９】
以下、実施形態を図面に基づいて説明する。なお、同一の機能や構成には、同一または類似の符号を付して、その説明を適宜省略する。
【００２０】
（１）無線通信システムの全体概略構成
図１は、本実施形態に係る無線通信システム10の全体概略構成図である。無線通信システム10は、Long Term Evolution（LTE）及び5G New Radio（NR）に従った無線通信システムであり、コアネットワーク20及びユーザ装置200（以下、UE200）を含む。コアネットワーク20には、無線基地局100A（以下、eNB100A）及び無線基地局100B（以下、gNB100B）が接続される。
【００２１】
コアネットワーク20は、LTE方式のコアネットワーク（EPC(Evolved Packet Core)）でもよいし、NR方式のコアネットワーク（NextGen Core）でもよい。
【００２２】
本実施形態では、eNB100Aは、LTE方式の無線基地局（eNB）であり、マスタ基地局を構成することができる。以下、eNB100Aは、LTE MeNBと適宜表記する。gNB100Bは、NR方式の無線基地局（gNB）であり、セカンダリ基地局を構成することができる。以下、gNB100Bは、NR SgNB（または単にSgNB）と適宜表記する。
【００２３】
eNB100Aは、セルC1を形成する。gNB100Bは、セルC2を形成する。本実施形態では、セルC1はマクロセルであり、セルC2はスモールセルである。なお、セルC1及びセルC2は、それぞれ複数形成されてもよい。
【００２４】
eNB100Aが形成するセルC1によって、マスタセルグループ（MCG）が構成される。また、gNB100Bが形成するセルC2によって、セカンダリセルグループ（SCG）が構成される。
【００２５】
図２は、eNB100A（LTE MeNB）及びgNB100B（NR SgNB）のプロトコルスタックを示す。図２に示すように、eNB100Aは、MAC(Medium Access Control)レイヤ（MACLTE）、RLC(Radio Link Control)レイヤ（RLCLTE）、PDCP(Packet Data Convergence Protocol)レイヤ（PDCPLTE）、及びAS(Access Stratum)サブレイヤ（New AS sublayerLTE）を有する。
【００２６】
同様に、gNB100Bも、MAC(Medium Access Control)レイヤ（MACNR）、RLC(Radio Link Control)レイヤ（RLCNR）、PDCP(Packet Data Convergence Protocol)レイヤ（PDCPNR）、及びAS(Access Stratum)サブレイヤ（New AS sublayerNR）を有する。なお、New AS sublayerNRは、NextGen Coreに接続する場合に必要となる。EPCに接続する場合は、従来のQoSの仕組みに従う。
【００２７】
コアネットワーク20（EPC）とeNB100Aとの間には、制御プレーン（Cプレーン）及びユーザプレーン（Uプレーン）が設定されるが、コアネットワーク20（EPC）とgNB100Bとの間には、Uプレーンのみが設定される。
【００２８】
なお、図示していないが、eNB100A及びgNB100Bは、MACレイヤの下位に物理レイヤを有する。また、後述するRRC Connection ReconfigurationなどのRRC(Radio Resource Control)は、ASサブレイヤ（New AS sublayerLTE, New AS sublayerNR）に含まれる。
【００２９】
eNB100A及びgNB100Bは、S1-Uインタフェースを介してコアネットワーク20（EPC）を接続される。また、eNB100AとgNB100Bとは、Xインタフェース（Xx/Xn）を介して接続される。図２に示すように、eNB100Aは、当該Xインタフェース向けのRLCレイヤ（RLCLTE）を有し、当該Xインタフェースを介してgNB100BのPDCPレイヤ（PDCPNR）と接続される。
【００３０】
また、本実施形態では、コアネットワーク20からセカンダリセルグループ（SCG）を経由するとともに当該セカンダリセルグループからマスタセルグループ（MCG）に含まれる無線基地局（eNB100A）に分岐するスプリットベアラBSP（図２において不図示、図６など参照）、具体的には、Split bearer via SCGが設定される。
【００３１】
コアネットワーク20からUE200向けのデータ、具体的には、下りのユーザデータは、スプリットベアラBSPを経由してUE200に送信される。
【００３２】
（２）無線通信システムの機能ブロック構成
次に、無線通信システム10の機能ブロック構成について説明する。具体的には、eNB100A及びUE200の機能ブロック構成について説明する。
【００３３】
（２．１）eNB100A及びgNB100B
図３は、eNB100A及びgNB100Bの機能ブロック構成図である。以下、特に言及しない限り、eNB100Aを例として説明する。上述したように、gNB100Bは、NR方式に対応している点、本実施形態では、セカンダリ基地局を構成するにおいて、eNB100Aと異なる。
【００３４】
図３に示すように、eNB100Aは、無線通信部110、接続制御部120、障害通知受信部130及びリソース制御部140を備える。
【００３５】
eNB100Aは、図３に示す機能ブロックによって、図２に示したプロトコルスタックにおける各レイヤの機能を提供する。なお、図３では、本発明に関連する機能ブロックのみが示されている。
【００３６】
無線通信部110は、LTE方式に従った無線通信を実行する。具体的には、無線通信部110は、UE200とLTE方式に従った無線信号を送受信する。当該無線信号には、ユーザデータまたは制御データが多重される。
【００３７】
接続制御部120は、eNB100AとUE200との接続、及びeNB100AとgNB100Bとの接続を制御する。具体的には、接続制御部120は、UE200とのRRCレイヤにおける接続を制御する。また、接続制御部120は、Xインタフェース（Xx/Xn）を介してgNB100Bとの接続を制御する。
【００３８】
特に、本実施形態では、接続制御部120は、スプリットベアラBSP（図６など参照）を設定する接続メッセージ（RRCメッセージ）をUE200に送信する。具体的には、接続制御部120は、所定条件においてセカンダリセルグループ（SCG）を不活性化（deactivate）することを許容する情報要素を含むRRC Connection ReconfigurationをUE200に送信することができる。
【００３９】
ここで、「不活性化する」とは、スプリットベアラBSPの設定に用いられているリソースを解放せずに保持した状態とするが、UE200の動作としては、当該セルの上りの信号を一切送信せず、PDCCHもモニタリングしないことを意味する。UE200は、下りの同期・参照信号などを用いて下りの品質測定は行うが、その測定周期はRRC Connected状態と比較して長周期になる。
【００４０】
また、接続制御部120は、SCGにおけるセル品質測定の識別子を削除することを許容する情報要素を含むRRC Connection ReconfigurationをUE200に送信することができる。具体的には、RRC Connection Reconfigurationは、SCGに含まれるPrimary SCell（PSCell）及びSecondary Cell（SCell）のUE200による品質測定を識別するMeasIdを削除することを許容する情報要素を含むことができる。
【００４１】
具体的には、MeasIdは、3GPP TS36.331 6.3.5章などで規定されており、当該セルの品質測定の構成（例えば、測定対象（measObject）と報告形式（reportConfig）との関連性）を識別する。UE200は、SCGにおけるMeasIdを削除すると、SCGにおける品質測定を中止する。つまり、UE200は、当該MeasIdを削除すると、SCGにおける品質測定を実行しない。
【００４２】
また、接続制御部120は、スプリットベアラBSPのSCGにおける所定レイヤ以下のリソースのみを解放することを指示するリソース変更要求（Secondary Node Modification Request）をgNB100B（他の無線基地局）に送信することができる。
【００４３】
具体的には、接続制御部120は、障害通知受信部130が障害通知（SCG Failure Information）を受信した場合、RLCレイヤ以下のリソース、つまり、gNB100BのRLCNR及びMACNR（なお、物理レイヤも含む）のリソースを解放することを指示するSecondary Node Modification RequestをgNB100Bに送信することができる。
【００４４】
このようにスプリットベアラBSPを構成する一部のリソースを解放した場合において、UE200が当該リソースの解放前と同一のSCG（つまり、gNB100B）に再接続する場合、接続制御部120（本実施形態ではgNB100Bが該当）は、解放した当該リソースを再利用したスプリットベアラBSPを設定することができる。
【００４５】
一方、上述したようにスプリットベアラBSPを構成する一部のリソースを解放した場合において、UE200が当該リソースの解放前と異なるSCGに接続する場合、接続制御部120（本実施形態ではgNB100Bが該当）は、新規なスプリットベアラBSPを設定することができる。
【００４６】
障害通知受信部130は、マスタセルグループ（MCG）及びセカンダリセルグループ（SCG）における無線リンク障害（RLF）の通知をUE200から受信する。特に、本実施形態では、障害通知受信部130は、SCGにおけるRLF（S-RLFという）が発生したことを示す障害通知（SCG Failure Information）をUE200から受信する。
【００４７】
リソース制御部140は、図２に示したプロトコルスタックの各レイヤにおけるリソースを制御する。具体的には、リソース制御部140は、マスタセルグループ（MCG）及びセカンダリセルグループ（SCG）の設定状態に応じて、各レイヤにおいて必要となるリソースを制御する。
【００４８】
特に、本実施形態では、リソース制御部140（本実施形態ではgNB100Bが該当）は、eNB100Aから受信したリソース変更要求（Secondary Node Modification Request）に基づいて、スプリットベアラBSPのSCGにおける所定レイヤ以下（具体的には、RLCレイヤ以下）のリソースを解放する。
【００４９】
つまり、リソース制御部140は、スプリットベアラBSPを構成するMACNR、RLCNR、PDCPNR及びNew AS sublayerNR（図２参照）のうち、MACNR及びRLCNRのみを解放する。
【００５０】
（２．２）UE200
図４は、UE200の機能ブロック構成図である。図４に示すように、UE200は、無線通信部210、接続制御部220、障害検出部230、セル設定部240及び品質測定部250を備える。UE200は、図４に示す機能ブロックによって、図２に示したプロトコルスタックにおける各レイヤの機能を提供する。なお、図４では、本発明に関連する機能ブロックのみが示されている。
【００５１】
無線通信部210は、LTE方式及びNR方式に従った無線通信を実行する。具体的には、無線通信部210は、eNB100AとLTE方式に従った無線信号を送受信する。また、無線通信部210は、gNB100BとNR方式に従った無線信号を送受信する。当該無線信号には、ユーザデータまたは制御データが多重される。
【００５２】
接続制御部220は、UE200とeNB100Aとの接続、及びUE200とgNB100Bとの接続を制御する。具体的には、接続制御部220は、eNB100AまたはgNB100Bから送信される接続メッセージ（RRCメッセージ）に基づいて、RRCレイヤにおける接続を制御する。
【００５３】
より具体的には、接続制御部220は、eNB100A（またはgNB100B）から受信したRRC Connection Reconfigurationに基づいて、RRCレイヤにおける接続変更処理を実行する。接続制御部220は、当該接続変更処理が完了したことを示すRRC Connection Reconfiguration CompleteをeNB100A（またはgNB100B）に送信する。
【００５４】
障害検出部230は、マスタセルグループ（MCG）及びセカンダリセルグループ（SCG）における無線リンク障害（RLF）を検出する。特に、本実施形態では、障害検出部230は、3GPPのTechnical Standard（TS）に規定されるRLFの検出条件（例えば、TS36.300 10.1.6章）に基づいて、SCGにおけるRLFを検出する。
【００５５】
セル設定部240は、UE200が接続可能なマスタセルグループ（MCG）またはセカンダリセルグループ（SCG）のセルに関する設定を実行する。具体的には、セル設定部240は、所定の場合、SCGを不活性化（deactivate）する。
【００５６】
より具体的には、セル設定部240は、接続制御部220が受信したRRCメッセージ（RRC Connection Reconfiguration）に、不活性化（deactivate）することを許容する情報要素が含まれており、SCGにおける無線リンク障害（RLF）を検出した場合、SCGに含まれるセル（本実施形態では、セルC2）の設定を不活性化する。
【００５７】
特に、本実施形態では、セル設定部240は、UE200が自律的にSCGに含まれるセルの設定を不活性化することが許容されていない場合でも、受信したRRC Connection Reconfigurationに当該情報要素が含まれており、SCGにおけるRLFを検出した場合には、SCGに含まれるセルの設定を不活性化する。
【００５８】
また、セル設定部240は、接続制御部220が受信したRRCメッセージ（RRC Connection Reconfiguration）に、SCGにおけるセル品質測定の識別子を削除することを許容する情報要素が含まれており、SCGにおける無線リンク障害（RLF）を検出した場合、SCGに含まれるセル（本実施形態では、セルC2）の品質測定を中止する。
【００５９】
品質測定部250は、マスタセルグループ（MCG）及びセカンダリセルグループ（SCG）に含まれるセルの受信品質を測定する。具体的には、品質測定部250は、各セルにおけるReference Signal Received Power(RSRP)及びReference Signal Received Quality(RSRQ)などを測定し、所定条件（エンタリング条件）を満たした場合、測定報告（Measurement Report）を送信する。
【００６０】
特に、本実施形態では、品質測定部250は、gNB100B（NR SgNB）におけるスプリットベアラBSPの一部のリソース（RLCレイヤ以下）が解放された後、当該リソースを解放する前よりも長い周期でSCGにおける受信品質を測定することができる。
【００６１】
（３）無線通信システムの動作
次に、無線通信システム10の動作について説明する。具体的には、eNB100A（LTE MeNB）、gNB100B（NR SgNB）及びUE200によるスプリットベアラ（Split bearer via SCG）の設定及び解放に関連する動作について説明する。
【００６２】
（３．１）無線リンク障害時の動作
まず、図５〜図１２を参照して、セカンダリセルグループ（SCG）における無線リンク障害（RLF）時の動作について説明する。
【００６３】
（３．１．１）動作例１
図５は、セカンダリセルグループにおける無線リンク障害時を含むスプリットベアラの制御シーケンス（動作例１）を示す。
【００６４】
図５に示すように、eNB100Aは、UE200が自律的にSCGを不活性化（deactivate）することを許容する決定する（S10）。具体的には、通常、LTE（例えば、Release-12）のデュアルコネクティビティ（DC）では、UE200が自律的にSCGを不活性化することが認められていない。より具体的には、LTEでは、RLFが検出された場合でもeNB100Aなどからの指示がない状態でSCGを不活性化させたり、活性化（activate）させたりすることができないと規定されている（例えば、3GPP R2-144062及び3GPP R2-144721参照）。
【００６５】
なお、S10において当該決定がなされない場合、UE200が自律的にSCGを不活性化することができない。
【００６６】
eNB100Aは、SCGを不活性化することを許容する情報要素を含むRRC Connection ReconfigurationをUE200に送信する（S20）。UE200は、当該情報要素に基づいて、自律的にSCGを不活性化することが許容されていることを認識する（S30）。
【００６７】
UE200は、RRC Connection Reconfigurationに基づいて、SCGにおけるスプリットベアラの設定に伴うRRCレイヤの設定変更処理を実行し、当該設定変更処理が完了したことを示すRRC Connection Reconfiguration CompleteをeNB100Aに送信する（S40）。これにより、スプリットベアラBSPが設定される（S50）。スプリットベアラBSPは、上述したように、Split bearer via SCGと呼ばれるが、図では、便宜上、SCG split bearerと適宜表記する。
【００６８】
ここで、図６は、スプリットベアラBSP（Split bearer via SCG）の構成例（動作例１）を示す。図６に示すように、Split bearer via SCGであるスプリットベアラBSP（太線）は、gNB100BのPDCPNRからeNB100Aに向けて分岐する。なお、細線は、構成可能なベアラ（スプリットベアラに限らず）の経路を示す（3GPP TR38.804参照）。
【００６９】
eNB100Aに向けて分岐したスプリットベアラBSPは、eNB100AのRLCLTE及びMACLTEを経由してUE200への論理的な通信路を提供する。また、スプリットベアラBSPは、gNB100BのRLCNR及びMACNRを経由してUE200への論理的な通信路を提供する。本動作例では、スプリットベアラBSPは解放されずに不活性化されるだけであり、スプリットベアラBSPの構成は、図６に示した状態が維持される。
【００７０】
次に、UE200は、SCGにおけるRLF（S-RLF）を検出する（S60）。具体的には、UE200は、上述したように、RLFの検出条件（例えば、TS36.300 10.1.6章）に基づいて、SCGにおけるRLFを検出する。
【００７１】
UE200は、自律的なSCGの不活性化が許容されているため、SCGに含まれるセルを不活性化（deactivate）する（S70）。具体的には、UE200は、Primary SCell（PSCell）及びSecondary Cell（SCell）を不活性化する。なお、「不活性化する」とは、上述したように、スプリットベアラBSPの設定に用いられているリソースを解放せずに保持した状態とするが、データの送受信には用いないこと（RRC Idle状態相当）を意味する。
【００７２】
また、UE200は、S-RLFが発生したことを示す障害通知（SCG Failure Information）をeNB100Aに送信する（S80）。
【００７３】
その後、UE200は、当該S-RLFの復旧を検出し、S-RLFが復旧したことを示すSCG Failure Informationを送信する（S90, S100）。
【００７４】
UE200は、ステップS70において不活性化したセル（PSCell及びSCell）を活性化（activate）する（S110）。
【００７５】
この結果、再度活性化されたスプリットベアラBSP（SCG split bearer）を用いて通信が再開される（S120）。
【００７６】
このように、S-RLFが検出された場合、UE200が自律的にSCGを不活性化（deactivate）することができるため、UE200は、SCGがactiveな状態と比較して、長い周期で測定報告（Measurement Report）を実行することになる。これにより、UE200の消費電力が削減される。また、スプリットベアラBSPの設定自体は保持されているため、スプリットベアラの解放及び設定が繰り返されることによるシグナリングも抑制できる。
【００７７】
（３．１．１ａ）動作例１ａ
図７は、セカンダリセルグループにおける無線リンク障害時を含むスプリットベアラの制御シーケンス（動作例１ａ）を示す。以下、上述した動作例１と異なる部分について、主に説明する。
【００７８】
動作例１ａでは、動作例１と比較すると、UE200による品質測定を識別するMeasIdを削除することを許容する情報要素を含むRRCメッセージが用いられる。
【００７９】
具体的には、図７に示すように、SCGに含まれるセル（PSCell及びSCell）のUE200による品質測定を識別するMeasIdを削除することを許容する情報要素を含むRRC Connection ReconfigurationをUE200に送信する（S21）。
【００８０】
UE200は、当該情報要素に基づいて、SCGに含まれるセルと対応するMeasIdを自律的に削除することを許容されていることを認識する（S31）。S41及びS51の処理は、図５のS40及びS50と同様である。
【００８１】
次に、UE200は、SCGにおけるRLF（S-RLF）を検出する（S61）。具体的には、UE200は、上述したように、RLFの検出条件に基づいて、SCGにおけるRLFを検出する。
【００８２】
UE200は、SCGに含まれるセルと対応するMeasIdを自律的に削除することが許容されているため、当該MeasIdを削除する（S71）。具体的には、UE200は、PSCell及びSCellと対応するMeasIdを削除（remove）する。上述したように、本実施形態では、SCGに含まれるセルとして、セルC2と対応するMeasIdが削除される。なお、MeasIdは、所定数の整数で表現され、同一セルに複数のMeasIdが対応付けられていても構わない。
【００８３】
UE200は、当該MeasIdを削除すると、SCGに関連する品質測定及び報告（measurement report）の内容を認識できないため、結果的に、品質測定及び報告（measurement report）を中止する。
【００８４】
また、UE200は、S-RLFが発生したことを示す障害通知（SCG Failure Information）をeNB100Aに送信する（S81）。
【００８５】
なお、上述した情報要素は、S-RLFが発生した場合、UE200が自律的に当該MeasIdを削除することが可能か否かを示すことができるものであってもよい。UE200によるMeasIdの自律的な削除は、例えば、3GPP TS36.331 5.5.2.2a章で規定されているように、本来、サービングセルが設定されていない場合に許容されているが、本実施形態では、SCGにおける無線リンク障害（RLF）が発生した場合にも、UE200によるMeasIdの自律的な削除を許容するか否かを指示できる。
【００８６】
一方、当該情報要素が含まれていない場合、UE200は、当該MeasIdを削除せず、従来のデュアルコネクティビティの規定に従った動作を実行する。
【００８７】
このように、S-RLFが検出された場合、UE200が、SCGに含まれるセルと対応するMeasIdを自律的に削除することができるため、UE200は、S-RLFが検出された場合には、SCGに関するmeasurement reportを実行しない。これにより、動作例１と同様に、UE200の消費電力が削減される。また、スプリットベアラBSPの設定自体は保持されているため、スプリットベアラの解放及び設定が繰り返されることによるシグナリングも抑制できる。
【００８８】
なお、MeasIdの自律的な削除に代えて、UE200がMeasIdを無効（disable）状態として扱うようにしてもよい。すなわち、MeasId自体は削除されないが、使用できないようにしてもよい。或いは、UE200が、実在するMeasIdに対してダミーのMeasIdを上書きするようにしてもよい。このような対応によって、measurement reportが中止されるようにしてもよい。
【００８９】
さらに、上述した動作例１と動作例１ａとは、併用されてもよい。つまり、UE200は、SCGに含まれるセルを不活性化と、SCGに含まれるセルと対応するMeasIdの削除とを実行してもよい。また、この場合、UE200は、先に処理される何れか一方のみを実行するようにしてもよい。
【００９０】
（３．１．２）動作例２
図８は、セカンダリセルグループにおける無線リンク障害時を含むスプリットベアラの制御シーケンス（動作例２）を示す。以下、動作例１と同様の部分については、適宜説明を省略する。
【００９１】
なお、動作例２〜５では、SCG Failure Informationの送信先（LTE MeNBまたはNR SgNB）と、RRCメッセージの送信主体（LTE MeNBまたはNR SgNB）との組み合わせが異なる。
【００９２】
図８に示すように、eNB100Aは、スプリットベアラBSP（SCG split bearer）の設定を要求するRRC Connection ReconfigurationをUE200に送信する（S310）。
【００９３】
UE200は、受信したRRC Connection Reconfigurationに基づいてスプリットベアラBSPを設定し、RRC Connection Reconfiguration CompleteをeNB100Aに送信する（S320, S330）。
【００９４】
次に、UE200は、SCGにおけるRLF（S-RLF）を検出し、S-RLFが発生したことを示す障害通知（SCG Failure Information）をeNB100Aに送信する（S340, S350）。
【００９５】
eNB100Aは、受信したSCG Failure Informationに基づいて、Secondary Node Modification Request（リソース変更要求）をgNB100Bに送信する（S360）。
【００９６】
gNB100Bは、受信したSecondary Node Modification Requestに基づいて、SCG側のRLC-Config、MACmain-Config及び個別無線リソース（radio resource）を解放する。具体的には、gNB100Bは、スプリットベアラBSPに関連するRLCNR、MACNR及び物理レイヤのリソースを解放する（S370）。
【００９７】
gNB100Bは、当該リソースを解放したことを示すSecondary Node Modification Request
AcknowledgementをeNB100Aに送信する（S380）。
【００９８】
eNB100Aは、受信したSecondary Node Modification Request Acknowledgementに基づいて、スプリットベアラBSPの設定変更を要求するRRC Connection ReconfigurationをUE200に送信する（S390）。
【００９９】
UE200は、受信したRRC Connection Reconfigurationに基づいて、スプリットベアラBSP（SCG split bearer）を構成するSCG link（Leg）を削除する（S400）。具体的には、UE200は、スプリットベアラBSPを構成するSCG側のRLC-Config、MACmain-Config及び個別無線リソース（radio resource）、つまり、スプリットベアラBSPに関連するRLCNR、MACNR及び物理レイヤのリソースを解放する。
【０１００】
UE200は、SCG link（Leg）を削除したことを示すRRC Connection Reconfiguration CompleteをeNB100Aに送信する（S410）。
【０１０１】
ここで、図９は、スプリットベアラBSP（Split bearer via SCG）の構成例（動作例２）を示す。図９に示すように、gNB100BのRLCNRレイヤ以下のリソースが解放されるため、gNB100Bから直接UE200に向かう区間（図中の点線区間）では、スプリットベアラBSP（を構成するリソース）が解放される。
【０１０２】
このように、S-RLFが検出された場合、スプリットベアラBSPの一部、具体的にはSCGのリソースが解放される。このため、UE200は、SCGがactiveな状態と比較して、長い周期で測定報告（Measurement Report）を実行することになる。これにより、動作例１と同様に、UE200の消費電力が削減される。また、MCG側のスプリットベアラBSPの設定自体は保持されているため、スプリットベアラの解放及び設定が繰り返されることによるシグナリングも抑制できる。
【０１０３】
さらに、本動作例では、SCGのリソースが解放されるため、実際には利用できないSCGのリソースの浪費も解消できる。具体的には、上述したように、SCG側のRLC-Config、MACmain-Config及び個別無線リソース（共有の無線リソースが含まれてもよい）が解放されるため、リソースの効率的な利用に寄与し得る。
【０１０４】
（３．１．３）動作例３
図１０は、セカンダリセルグループにおける無線リンク障害時を含むスプリットベアラの制御シーケンス（動作例３）を示す。以下、動作例２と異なる部分について、主に説明する。
【０１０５】
本動作例は、動作例２と比較すると、eNB100A（LTE MeNB）ではなく、gNB100B（NR SgNB）がRRCメッセージを送信する。図１０に示すS310〜S360は、図８のS310〜S360と同様である。
【０１０６】
gNB100Bは、受信したSecondary Node Modification Requestに基づいて、RRC Connection ReconfigurationをUE200に送信する（S370A）。当該RRC Connection Reconfigurationによって、スプリットベアラBSP（SCG split bearer）を構成するSCG link（Leg）を削除と、SCG側のRLC-Config、MACmain-Config及び個別無線リソース（radio resource）を解放とが指示される。
【０１０７】
gNB100B及びUE200は、SCG link（Leg）の削除と、当該リソースの解放とを実行する（S380A）。
【０１０８】
UE200は、SCG link（Leg）の削除と、当該リソースの解放とを実行したことを示すRRC Connection Reconfiguration CompleteをgNB100Bに送信する（S390A）。
【０１０９】
gNB100Bは、受信したRRC Connection Reconfiguration Completeに基づいて、当該リソースを解放したことを示すSecondary Node Modification Request AcknowledgementをeNB100Aに送信する（S400A）。
【０１１０】
本動作例によっても、RRCメッセージの送信主体が異なるものの、動作例２と同様の効果を得ることができる。
【０１１１】
（３．１．４）動作例４
図１１は、セカンダリセルグループにおける無線リンク障害時を含むスプリットベアラの制御シーケンス（動作例４）を示す。以下、動作例２と異なる部分について、主に説明する。
【０１１２】
本動作例は、動作例２と比較すると、SCG Failure InformationがeNB100A（LTE MeNB）ではなく、gNB100B（NR SgNB）に送信される。図１１に示すS310〜S340は、図８のS310〜S340と同様である。
【０１１３】
UE200は、S-RLFが発生したことを示す障害通知（SCG Failure Information）をgNB100Bに送信する（S350B）。
【０１１４】
gNB100Bは、受信したSCG Failure Informationに基づいて、SCG側のRLC-Config、MACmain-Config及び個別無線リソース（radio resource）を解放する（S360B）。
【０１１５】
gNB100Bは、当該リソースを解放したことによって、SCG側の設定変更が必要なことを示すSecondary Node Modification RequiredをeNB100Aに送信する（S370B）。
【０１１６】
eNB100Aは、受信したSecondary Node Modification Requiredに基づいて、スプリットベアラBSPの設定変更を要求するRRC Connection ReconfigurationをUE200に送信する（S380B）。図１１に示すS390B及びS400Bは、図８に示すS400及びS410と同様である。
【０１１７】
eNB100Aは、受信したRRC Connection Reconfiguration Completeに基づいて、SCG側の設定変更が完了したことを示すSecondary Node Modification ConfirmをgNB100Bに送信する（S410B）。
【０１１８】
本動作例によっても、SCG Failure Informationの送信先が異なるものの、動作例２と同様の効果を得ることができる。
【０１１９】
（３．１．５）動作例５
図１２は、セカンダリセルグループにおける無線リンク障害時を含むスプリットベアラの制御シーケンス（動作例５）を示す。以下、動作例２と異なる部分について、主に説明する。
【０１２０】
本動作例は、動作例２と比較すると、SCG Failure InformationがeNB100A（LTE MeNB）ではなく、gNB100B（NR SgNB）に送信されるとともに、eNB100A（LTE MeNB）ではなく、gNB100B（NR SgNB）がRRCメッセージを送信する。図１２に示すS310〜S340は、図８のS310〜S340と同様である。
【０１２１】
UE200は、S-RLFが発生したことを示す障害通知（SCG Failure Information）をgNB100Bに送信する（S350C）。
【０１２２】
gNB100Bは、受信したSCG Failure Informationに基づいて、RRC Connection ReconfigurationをUE200に送信する（S360C）。当該RRC Connection Reconfigurationによって、スプリットベアラBSP（SCG split bearer）を構成するSCG link（Leg）を削除と、SCG側のRLC-Config、MACmain-Config及び個別無線リソース（radio resource）を解放とが指示される。
【０１２３】
gNB100B及びUE200は、SCG link（Leg）の削除と、当該リソースの解放とを実行する（S370C）。
【０１２４】
UE200は、SCG link（Leg）の削除と、当該リソースの解放とを実行したことを示すRRC Connection Reconfiguration CompleteをgNB100Bに送信する（S380C）。
【０１２５】
gNB100Bは、受信したRRC Connection Reconfiguration Completeに基づいて、スプリットベアラBSP（SCG split bearer）を構成するSCG link（Leg）を削除と、SCG側のRLC-Config、MACmain-Config及び個別無線リソース（radio resource）を解放が完了したことを示すSecondary Node Reconfiguration CompletedをeNB100Aに送信する（S390C）。
【０１２６】
本動作例によっても、SCG Failure Informationの送信先、及びRRCメッセージの送信主体が異なるものの、動作例２と同様の効果を得ることができる。
【０１２７】
（３．２）スプリットベアラ解放後におけるスプリットベアラの設定
次に、上述した動作例２〜５によってSCG側（スプリットベアラBSP）リソースの一部解放後におけるスプリットベアラBSPの設定に関する動作について説明する。
【０１２８】
（３．２．１）動作例６
図１３は、SCG側（スプリットベアラBSP）リソースの一部解放後におけるスプリットベアラBSPの設定シーケンス（動作例６）を示す。動作例６では、eNB100A（LTE MeNB）がスプリットベアラBSPの設定を制御する。
【０１２９】
図１３に示すように、UE200は、SCG側（スプリットベアラBSP）リソースの一部解放後、周期的に測定報告（Measurement Report）をeNB100Aに送信する（S510）。
【０１３０】
eNB100Aは、受信した測定報告に基づいて、SCGにおけるスプリットベアラ、具体的には、スプリットベアラBSP（図６参照）が設定可能かを判定する（S520）。
【０１３１】
ここでは、測定報告に含まれるセルの受信品質が所定の条件を満たし、スプリットベアラBSPが設定可能と判定されたものとする。
【０１３２】
なお、UE200が存在する位置などに応じて、上述したSCG側リソースの一部解放前と同一のSCG（具体的には、NR SgNB）においてスプリットベアラBSPが設定可能と判定される場合、或いは、SCG側リソースの一部解放前と異なるSCGにおいてスプリットベアラBSPが設定可能と判定される場合がある。
【０１３３】
eNB100Aは、スプリットベアラBSPの設定を要求するRRC Connection ReconfigurationをUE200に送信する（S530）。
【０１３４】
UE200は、受信したRRC Connection Reconfigurationに基づいて、スプリットベアラBSP（SCG split bearer）を構成するSCG link（Leg）と、SCG側のRLC-Config、MACmain-Config及び個別無線リソース（radio resource）を再設定、またはスプリットベアラBSPを新規に設定する（S540）。
【０１３５】
同一SCGにおいてスプリットベアラBSPを設定する場合、スプリットベアラBSPが再設定される。具体的には、上述した動作例によって削除されたSCG link（Leg）と、解放されたSCG側のRLC-Config、MACmain-Config及び個別無線リソース（radio resource）のみが再設定される。つまり、スプリットベアラBSPを構成する他のリソース（PDCPNR, RLCLTEなど）については、保持されている状態がそのまま利用される。
【０１３６】
一方、SCG側リソースの一部解放前と異なるSCGにおいてスプリットベアラBSPを設定する場合、新規なSCG split bearerが設定される。この場合、保持されていたスプリットベアラBSPのリソースは解放される。
【０１３７】
UE200は、SCG link（Leg）及び当該リソースを再設定、或いは新規なSCG split bearerを設定したことを示すRRC Connection Reconfiguration CompleteをeNB100Aに送信する（S550）。
【０１３８】
本動作例によれば、SCG側リソースの一部解放前と同一のSCGにおいてスプリットベアラBSPが設定可能と判定された場合には、保持されているスプリットベアラBSPのリソースを活用してスプリットベアラBSPが再設定されるため、当該リソースを効率的に利用しつつ、シグナリング量を低減できる。
【０１３９】
（３．２．２）動作例７
図１４は、SCG側（スプリットベアラBSP）リソースの一部解放後におけるスプリットベアラBSPの設定シーケンス（動作例７）を示す。動作例７では、gNB100B（NR SgNB）がスプリットベアラBSPの設定を制御する。
【０１４０】
以下、上述した動作例６との相違点について、主に説明する。動作例６と動作例７との相違点は、制御主体がeNB100AではなくgNB100Bである点であり、各ステップの処理内容は、動作例６と同様である。
【０１４１】
具体的には、図１４のS610〜S650は、図１３のS510〜S550にそれぞれ対応する。
【０１４２】
（４）作用・効果
上述した実施形態によれば、以下の作用効果が得られる。具体的には、動作例１によれば、上述したように、S-RLFが検出された場合、UE200が自律的にSCGを不活性化（deactivate）することができるため、UE200は、SCGがactiveな状態と比較して、長い周期で測定報告（Measurement Report）を実行することになる。
【０１４３】
より具体的には、SCGがactiveな状態の場合、UE200は、RRC Connected状態と同じ頻度（200ms）でLayer 3 measurementを実行するため、消費電力の削減が難しい。動作例１によれば、スプリットベアラBSPを維持しつつ、RRC Connected状態よりも長い周期で測定報告を実行できるため、UE200の消費電力を削減できる。
【０１４４】
つまり、単にスプリットベアラBSPの解放及び設定に伴うシグナリング量の増加を抑制する観点から、SCGを削除せずに保持しても、このようなUE200の消費電力を削減することは難しい。
【０１４５】
また、動作例１ａによれば、上述したように、S-RLFが検出された場合、UE200が自律的にSCGと対応するMeasIdを削除するため、UE200は、SCGに関するmeasurement reportを中止することができる。動作例１と同様に、UE200の消費電力を削減できる。
【０１４６】
また、動作例２〜５によれば、上述したように、S-RLFが検出された場合、スプリットベアラBSPの一部、具体的にはSCGのリソースが解放されるため、上述した効果に加え、リソースの有効利用を図り得る。つまり、解放されたリソースは、他のUEに割り当てることができるため、無線通信システム10全体としての効率的な運用に寄与する。
【０１４７】
なお、動作例１は、複雑な制御を伴わないため、シグナリング量抑制の観点では好ましいが、SCG（スプリットベアラBSP）に関連するリソース（例えば、PSCellのPUCCH、PSCell, SCellにおけるCSI-RSなどのビームフォーミング用のUE個別リソース）は保持されたままとなるため、動作例２〜５のようなリソースの有効活用は見込めない。
【０１４８】
また、動作例６，７によれば、上述したように、SCG側リソースの一部解放前と同一のSCGにおいてスプリットベアラBSPが設定可能と判定された場合には、保持されているスプリットベアラBSPのリソースを活用してスプリットベアラBSPが再設定されるため、当該リソースを効率的に利用しつつ、シグナリング量を低減できる。
【０１４９】
（５）その他の実施形態
以上、実施形態に沿って本発明の内容を説明したが、本発明はこれらの記載に限定されるものではなく、種々の変形及び改良が可能であることは、当業者には自明である。
【０１５０】
例えば、上述した実施形態では、eNB100AがLTE方式の無線基地局（eNB）であり、マスタ基地局を構成し、gNB100BがNR方式の無線基地局（gNB）であり、セカンダリ基地局を構成していたが、このような構成は逆でもよい。つまり、NR方式の無線基地局（gNB）がマスタ基地局を構成し、LTE方式の無線基地局（eNB）がセカンダリ基地局を構成してもよい。
【０１５１】
また、上述した実施形態の説明に用いたブロック図（図３，４）は、機能ブロック図を示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【０１５２】
さらに、上述したeNB100A, gNB100B、及びUE200（当該装置）は、本発明の送信電力制御の処理を行うコンピュータとして機能してもよい。図１５は、当該装置のハードウェア構成の一例を示す図である。図１５に示すように、当該装置は、プロセッサ1001、メモリ1002、ストレージ1003、通信装置1004、入力装置1005、出力装置1006及びバス1007などを含むコンピュータ装置として構成されてもよい。
【０１５３】
当該装置の各機能ブロック（図３，４参照）は、当該コンピュータ装置の何れかのハードウェア要素、または当該ハードウェア要素の組み合わせによって実現される。
【０１５４】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【０１５５】
メモリ1002は、コンピュータ読み取り可能な記録媒体であり、例えば、ROM（ReadOnly Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１５６】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１５７】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１５８】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１５９】
また、プロセッサ1001及びメモリ1002などの各装置は、情報を通信するためのバス1007で接続される。バス1007は、単一のバスで構成されてもよいし、装置間で異なるバスで構成されてもよい。
【０１６０】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１６１】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１６２】
上述した実施形態におけるシーケンス及びフローチャートなどは、矛盾の無い限り、順序を入れ替えてもよい。
【０１６３】
また、上述した実施形態において、eNB100A（gNB100B、以下同）によって行われるとした特定動作は、他のネットワークノード（装置）によって行われることもある。また、複数の他のネットワークノードの組み合わせによってeNB100Aの機能が提供されても構わない。
【０１６４】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１６５】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１６６】
eNB100A（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１６７】
「セル」または「セクタ」という用語は、このカバレッジにおいて通信サービスを行う基地局、及び／または基地局サブシステムのカバレッジエリアの一部または全体を指す。
さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【０１６８】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１６９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１７０】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１７１】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１７２】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１７３】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【０１７４】
上述した無線通信システム及び無線基地局によれば、セカンダリセルグループ（SCG）を経由したスプリットベアラが設定される場合でも、ユーザ装置の消費電力の削減と、スプリットベアラの解放及び設定が繰り返されることによるシグナリング量の増加の抑制とを両立し得るため、有用である。
【符号の説明】
【０１７５】
10  無線通信システム
20  コアネットワーク
100A  eNB
100B  gNB
110  無線通信部
120  接続制御部
130  障害通知受信部
140  リソース制御部
200  UE
210  無線通信部
220  接続制御部
230  障害検出部
240  セル設定部
250  品質測定部
1001  プロセッサ
1002  メモリ
1003  ストレージ
1004  通信装置
1005  入力装置
1006  出力装置
1007  バス
【図１】
2018174038.tif 000003
【図２】
2018174038.tif 000004
【図３】
2018174038.tif 000005
【図４】
2018174038.tif 000006
【図５】
2018174038.tif 000007
【図６】
2018174038.tif 000008
【図７】
2018174038.tif 000009
【図８】
2018174038.tif 000010
【図９】
2018174038.tif 000011
【図１０】
2018174038.tif 000012
【図１１】
2018174038.tif 000013
【図１２】
2018174038.tif 000014
【図１３】
2018174038.tif 000015
【図１４】
2018174038.tif 000016
【図１５】
2018174038.tif 000017
【国際調査報告】
2018174038.tif 000018
2018174038.tif 000019